【手続補正書】
【提出日】平成28年12月9日(2016.12.9)
【手続補正１】
【補正対象書類名】特許請求の範囲
【補正対象項目名】全文
【補正方法】変更
【補正の内容】
【特許請求の範囲】
【請求項１】
グループII、グループIII、グループIV及びグループV基油(但し、グループII及びグループIII基油は少なく９０％飽和度を有する)並びにその混合物から選ばれる主要量の基油と少量の添加剤パッケージとを含んでなるエンジンオイル組成物であって、ここで該添加剤パッケージが、
（Ａ）
式Ｉ〜ＩＩＩ：
【化１】
2014132076.tif 000001
［式中、Ｒは約８〜約２２個の炭素原子をもつ、直線状もしくは分枝状の、飽和、不飽和、または一部飽和ヒドロカルビルであり、そしてＲ１は水素、約１〜約８個の炭素原子をもつヒドロカルビルまたは、１個以上のヘテロ原子を含むＣ１〜Ｃ８ヒドロカルビル基である］
【化２】
2014132076.tif 000002
［式中、Ｒは約８〜約２２個の炭素原子をもつ、直線状もしくは分枝状の、飽和、不飽和、または一部飽和ヒドロカルビルであり、そしてＲ２とＲ３は独立して、水素、Ｃ１〜Ｃ１８ヒドロカルビル基および、１個以上のヘテロ原子を含むＣ１〜Ｃ１８ヒドロカルビル基から選択される］、及び
【化３】
2014132076.tif 000003
［式中、Ｒは約８〜約２２個の炭素原子をもつ、直線状もしくは分枝状の、飽和、不飽和、または一部飽和ヒドロカルビルであり、そしてＸはアルカリ金属、アルカリ土類金属またはアンモニウムのカチオンであり、そしてｎはカチオンＸの原子価である］、
の１種以上の化合物、
から選択される１種の摩擦修正剤成分、並びに
（Ｂ）前記１種以上の化合物（Ａ）と異なり、そしてアルコール、グリセロールエステル、アミン、エトキシル化アミン、アミド、エトキシル化アミド、二量体の酸、ポリエステル、亜鉛ジチオカルバメート、モリブデン・ジチオカルバメートおよび硫黄を含まないモリブデン化合物から選択される少なくとも１種の化合物を含んでなる、少なくとも１種の摩擦修正剤、
を含んでなり、かつ
前記エンジンオイル組成物は、エンジンクランクケースの少なくともピストン、リング、シリンダー、軸受け及びクランクシャフトの潤滑に適した、クランクケースエンジンオイル潤滑剤として使用するのに適合し、
前記エンジンオイル組成物は、５０〜１０００ｐｐｍのリン含有量を有し、前記エンジンオイル組成物は、０．１〜２．０重量％の摩擦修正剤成分（Ａ）を含有し（エンジンオイル組成物の全重量基準）、かつ摩擦修正剤成分（Ａ）が式（ＩＩＩ）の化合物である場合、前記エンジンオイル組成物は、少なくとも９０％飽和度を有し、かつグループII、グループIII及びグループIV基油並びにその混合物から選ばれる基油の主要量を含む、エンジンオイル組成物。
【請求項２】
添加剤パッケージが、少なくとも１種の式Ｉの化合物を含んでなる、請求項１のエンジンオイル組成物。
【請求項３】
添加剤パッケージが式ＩＩの１種以上の化合物を含んでなる、請求項１のエンジンオイル組成物。
【請求項４】
添加剤パッケージが式ＩＩＩの少なくとも１種の塩を含んでなる、請求項１のエンジンオイル組成物。
【請求項５】
添加剤パッケージが、式Ｉ〜ＩＩＩの化合物から独立して選択される、少なくとも２種の異なる化合物を含んでなる、請求項１のエンジンオイル組成物。
【請求項６】
Ｒ１が約１〜約８個の炭素原子をもつヒドロカルビル基である、請求項５のエンジンオイル組成物。
【請求項７】
Ｒ１が１個以上のヘテロ原子を含むＣ１〜Ｃ８ヒドロカルビル基を含む、ヒドロカルビル基である、請求項５のエンジンオイル組成物。
【請求項８】
Ｒ２とＲ３が独立して、水素、Ｃ１〜Ｃ１８ヒドロカルビル基および、１個以上のヘテロ原子を含むＣ１〜Ｃ１８ヒドロカルビル基、から選択される、請求項３および５のいずれか１項のエンジンオイル組成物。
【請求項９】
Ｒ２とＲ３が独立して、水素およびＣ４〜Ｃ８ヒドロカルビル基から選択される、請求項３および５のいずれか１項のエンジンオイル組成物。
【請求項１０】
式ＩＩＩの１種以上の化合物が、ナトリウム、リチウム、カリウム、カルシウム、およびマグネシウムから選択される１個以上のカチオンの塩である、請求項４および５のいずれか１項のエンジンオイル組成物。
【請求項１１】
Ｒが約１０〜約２０個の炭素原子を有する、請求項１〜１０のいずれか１項のエンジンオイル組成物。
【請求項１２】
Ｒが約１２〜約１８個の炭素原子を有する、請求項１〜１０のいずれか１項のエンジンオイル組成物。
【請求項１３】
添加剤パッケージが更に、抗酸化剤、消泡剤、モリブデン含有化合物、チタン含有化合物、リン含有化合物、粘度指数向上剤、流動点降下剤、および希釈油よりなる群から選択される少なくとも１種の添加剤を含んでなる、請求項１〜１２のいずれか１項のエンジンオイル組成物。
【請求項１４】
化合物（Ａ）および少なくとも１種の摩擦修正剤（Ｂ）の総量が、エンジンオイル組成物の総重量の約０．１重量％〜約１０重量％を含んでなる、請求項１〜１３のいずれか１項のエンジンオイル組成物。
【請求項１５】
少なくとも１種の摩擦修正剤（Ｂ）が、アルコール、グリセロールエステル、アミン、エトキシル化アミン、アミド、エトキシル化アミド、二量体の酸、ポリエステル、亜鉛ジチオカルバメート、モリブデン・ジチオカルバメートおよび硫黄を含まないモリブデン化合物から独立して選択される少なくとも２種の化合物を含んでなる、請求項１〜１４のいずれか１項のエンジンオイル組成物。
【請求項１６】
少なくとも１種の摩擦修正剤（Ｂ）が少なくとも１種のグリセロールエステルを含んでなる、請求項１〜１４のいずれか１項のエンジンオイル組成物。
【請求項１７】
少なくとも１種の摩擦修正剤（Ｂ）が少なくとも１種のモリブデン・ジチオカルバメートを含んでなる、請求項１〜１４のいずれか１項のエンジンオイル組成物。
【請求項１８】
少なくとも１種の摩擦修正剤（Ｂ）が少なくとも１種のポリエステルを含んでなる、請求項１〜１４のいずれか１項のエンジンオイル組成物。
【請求項１９】
少なくとも１種の摩擦修正剤（Ｂ）が少なくとも１種のグリセロール・エステルおよび少なくとも１種のモリブデン・ジチオカルバメートを含んでなる、請求項１〜１４のいずれか１項のエンジンオイル組成物。
【請求項２０】
請求項１に請求されるエンジンオイルを使用してエンジンを潤滑する工程を含んでなる、エンジン内の薄膜摩擦および境界層摩擦を改善する方法。
【請求項２１】
改善される薄膜および境界層の摩擦が、１種以上の摩擦修正剤成分の不存在下における同一組成物に関連して決定される、請求項２０に請求される方法。
【請求項２２】
請求項１に請求されるエンジンオイルを使用してエンジンを潤滑する工程を含んでなる、エンジン内の境界層の摩擦を改善する方法。
【請求項２３】
改善される境界層の摩擦が、１種以上の摩擦修正剤成分の不存在下における同一組成物に関連して決定される、請求項２２に請求される方法。
【請求項２４】
請求項１に請求されるエンジンオイルを使用してエンジンを潤滑する工程を含んでなる、エンジン内の薄膜の摩擦を改善する方法。
【請求項２５】
改善される薄膜の摩擦が、１種以上の摩擦修正剤成分の不存在下における同一組成物に関連して決定される、請求項２４に請求される方法。
【請求項２６】
グループII、グループIII、グループIV及びグループV基油(但し、グループII及びグループIII基油は少なく９０％飽和度を有する)並びにその混合物から選ばれる主要量の基油と少量の添加剤パッケージとを含んでなるエンジンオイル組成物であって、ここで該添加剤パッケージが、
（Ａ）
式ＩＶ：
【化４】
2014132076.tif 000004
［式中、Ｒは約８〜約２２個の炭素原子をもつ、直線状もしくは分枝状の、飽和、不飽和、または一部飽和ヒドロカルビル基であり、かつ反応前に必要により適切な離脱基により、酸上のヒドロキシ基が置換されても良い］
の化合物と式Ｖ：
【化５】
2014132076.tif 000005
［式中、Ｒ２、Ｒ３およびＲ４は独立して、水素、Ｃ１〜Ｃ１８ヒドロカルビル基および１個以上のヘテロ原子を含むＣ１〜Ｃ１８ヒドロカルビル基、から選択される］の１種以上のアミンの、１種以上のアミド反応生成物、
（Ｂ）前記１種以上の化合物（Ａ）と異なり、そしてアルコール、グリセロールエステル、アミン、エトキシル化アミン、アミド、エトキシル化アミド、二量体の酸、ポリエステル、亜鉛ジチオカルバメート、モリブデン・ジチオカルバメートおよび硫黄を含まないモリブデン化合物から選択される少なくとも１種の化合物を含んでなる、少なくとも１種の摩擦修正剤、
を含んでなり、かつ
前記エンジンオイル組成物は、エンジンオイルとして使用するのに適合し、前記エンジンオイル組成物は、５０〜１０００ｐｐｍのリン含有量を有し、前記エンジンオイル組成物は、０．１〜２．０重量％の摩擦修正剤成分（Ａ）を含有する（エンジンオイル組成物の全重量基準）、エンジンオイル組成物。
【請求項２７】
グループII、グループIII、グループIV及びグループV基油(但し、グループII及びグループIII基油は少なく９０％飽和度を有する)並びにその混合物から選ばれる主要量の基油と少量の添加剤パッケージとを含んでなるエンジンオイル組成物であって、ここで該添加剤パッケージが、
（Ａ）
式ＩＶ：
【化６】
2014132076.tif 000006
［式中、Ｒは約８〜約２２個の炭素原子をもつ、直線状もしくは分枝状の、飽和、不飽和、または一部飽和ヒドロカルビル基である］
１種以上の化合物と１種以上のアミンアルコールの、１種以上のアミドまたはエステル反応生成物、
（Ｂ）前記１種以上の化合物（Ａ）と異なり、そしてアルコール、グリセロールエステル、アミン、エトキシル化アミン、アミド、エトキシル化アミド、二量体の酸、ポリエステル、亜鉛ジチオカルバメート、モリブデン・ジチオカルバメートおよび硫黄を含まないモリブデン化合物から選択される少なくとも１種の化合物を含んでなる、少なくとも１種の摩擦修正剤、
を含んでなり、かつ
前記エンジンオイル組成物は、エンジンオイルとして使用するのに適合し、前記エンジンオイル組成物は、５０〜１０００ｐｐｍのリン含有量を有し、前記エンジンオイル組成物は、０．１〜２．０重量％の摩擦修正剤成分（Ａ）を含有する（エンジンオイル組成物の全重量基準）、エンジンオイル組成物。
【請求項２８】
グループII、グループIII、グループIV及びグループV基油(但し、グループII及びグループIII基油は少なく９０％飽和度を有する)並びにその混合物から選ばれる主要量の基油と少量の添加剤パッケージとを含んでなるエンジンオイル組成物であって、ここで該添加剤パッケージが、
（Ａ）
式ＩＶ：
【化７】
2014132076.tif 000007
［式中、Ｒは約８〜約２２個の炭素原子をもつ、直線状もしくは分枝状の、飽和、不飽和、または一部飽和ヒドロカルビル基であり、
酸基上の水素原子が適切な離脱基により置換されても良い］
の１種以上の化合物とアルカリ金属の水酸化物、アルカリ土類金属の水酸化物、アルカリ金属の酸化物、アルカリ土類金属の酸化物、アンモニアまたはそれらの混合物との反応生成物である１種以上の塩を含んでなり、
（Ｂ）前記１種以上の化合物（Ａ）と異なり、そしてアルコール、グリセロールエステル、アミン、エトキシル化アミン、アミド、エトキシル化アミド、二量体の酸、ポリエステル、亜鉛ジチオカルバメート、モリブデン・ジチオカルバメートおよび硫黄を含まないモリブデン化合物から選択される少なくとも１種の化合物を含んでなる、少なくとも１種の摩擦修正剤、
を含んでなり、かつ
前記エンジンオイル組成物は、エンジンオイルとして使用するのに適合し、前記エンジンオイル組成物は、５０〜１０００ｐｐｍのリン含有量を有し、前記エンジンオイル組成物は、０．１〜２．０重量％の摩擦修正剤成分（Ａ）を含有する（エンジンオイル組成物の全重量基準）、エンジンオイル組成物。
【請求項２９】
グループII、グループIII、グループIV及びグループV基油(但し、グループII及びグループIII基油は少なく９０％飽和度を有する)並びにその混合物から選ばれる主要量の基油と少量の添加剤パッケージとを含んでなるエンジンオイル組成物であって、ここで該添加剤パッケージが、
式ＩＶ：
【化８】
2014132076.tif 000008
［式中、Ｒは約８〜約２２個の炭素原子をもつ、直線状もしくは分枝状の、飽和、不飽和、または一部飽和ヒドロカルビル基である］
１種以上の化合物と、
（Ｂ）ポリアミンから形成されるスクシンイミド分散剤、マニッヒ分散剤、及びそれらの混合物から成る群から選ばれる少なくとも1種の分散剤、
を含んでなり、かつ
前記エンジンオイル組成物は、エンジンクランクケースの少なくともピストン、リング、シリンダー、軸受け及びクランクシャフトの潤滑に適した、クランクケースエンジンオイル潤滑剤として使用するのに適合し、前記エンジンオイル組成物は、５０〜１０００ｐｐｍのリン含有量を有し、前記エンジンオイル組成物は、０．１〜２．０重量％の式ＩＶの１種以上の化合物を含有する（エンジンオイル組成物の全重量基準）、エンジンオイル組成物。
【請求項３０】
基油が、鉱油、動物油及び合成油から成る群から選ばれる少なくとも1種である、請求項１〜１９のいずれか１項のエンジンオイル組成物。